(57)【要約】【課題】比較的小型の画像形成装置に対しても、ジャムアクセスカバーと手差しトレイを効率良く取り付けることができる画像形成装置を提供する。【解決手段】ジャムアクセスカバー１６は装置本体１２に対して回動可能となるように装置本体１２に取り付けられており、手差しトレイ２６はジャムアクセスカバー１６に対して回動可能となるようにジャムアクセスカバー１６の上端部近傍に取り付けられているため、手差しトレイ２６の取付部位としてジャムアクセスカバー１６を有効利用することができる。【選択図】      図１
2007284172.tif 000002
【特許請求の範囲】
【請求項１】
用紙に画像を形成するための画像形成部を設けた装置本体と、前記装置本体の内部における用紙の詰まりを取り除くためのジャムアクセスカバーと、手差しした用紙を前記装置本体の内部に供給するための手差しトレイと、を備えた画像形成装置であって、
前記ジャムアクセスカバーは、前記装置本体に対して回動可能となるように前記装置本体に取り付けられ、
前記手差しトレイは、前記ジャムアクセスカバーに対して回動可能となるように前記ジャムアクセスカバーに取り付けられていることを特徴とする画像形成装置。
【請求項２】
前記ジャムアクセスカバーには、前記装置本体に対する回動を防止するロック手段が設けられていることを特徴とする請求項１に記載の画像形成装置。
【請求項３】
前記ロック手段は、前記ジャムアクセスカバーに設けられ前記装置本体に係合する爪部材と、前記爪部材と前記装置本体との係合を解除する解除レバーと、で構成されていることを特徴とする請求項２に記載の画像形成装置。
【請求項４】
前記手差しトレイは、所定の位置で前記ジャムアクセスカバーと係合し、
前記手差しトレイに所定の圧力を負荷することにより前記手差しトレイと前記ジャムアクセスカバーとの係合が解除されることを特徴とする請求項１乃至３のいずれか１項に記載の画像形成装置。
【発明の詳細な説明】
【技術分野】
【０００１】
本発明は、用紙に画像を形成するための画像形成部を設けた装置本体と、装置本体の内部における用紙の詰まりを取り除くためのジャムアクセスカバーと、手差しした用紙を装置本体の内部に供給するための手差しトレイと、を備えた画像形成装置に関する。
【背景技術】
【０００２】
従来の画像形成装置の中には、画像形成装置内部の紙詰まりを取り除くためのジャムアクセスカバーと、手差しした用紙を画像形成装置内部に供給するための手差しトレイと、を備えたものがある。この画像形成装置では、装置本体に取り付けられたジャムアクセスカバーの上部に用紙を内部に供給するための手差し供給口が形成されており、装置本体であってかつ手差し供給口の近傍に手差しトレイが取り付けられている（下記特許文献１参照）。
【特許文献１】特開平１０−２９７７９４号公報
【発明の開示】
【発明が解決しようとする課題】
【０００３】
ところで、従来の画像形成装置では、ジャムアクセスカバーと手差しトレイとが別個独立して装置本体に取り付けられている構成であるため、比較的小型の画像形成装置の場合には、ジャムアクセスカバーと手差しトレイを別個独立して装置本体に設けるためのスペースが無くなり、両者を装置本体の別々の部位に取り付けることができなくなるという問題があった。
【０００４】
そこで、本発明は、上記事情を考慮し、比較的小型の画像形成装置に対しても、ジャムアクセスカバーと手差しトレイを効率良く取り付けることができる画像形成装置を提供することを目的とする。
【課題を解決するための手段】
【０００５】
請求項１に記載の発明は、用紙に画像を形成するための画像形成部を設けた装置本体と、前記装置本体の内部における用紙の詰まりを取り除くためのジャムアクセスカバーと、手差しした用紙を前記装置本体の内部に供給するための手差しトレイと、を備えた画像形成装置であって、前記ジャムアクセスカバーは、前記装置本体に対して回動可能となるように前記装置本体に取り付けられ、前記手差しトレイは、前記ジャムアクセスカバーに対して回動可能となるように前記ジャムアクセスカバーに取り付けられていることを特徴とする。
【０００６】
請求項２に記載の発明は、請求項１に記載の画像形成装置において、前記ジャムアクセスカバーには、前記装置本体に対する回動を防止するロック手段が設けられていることを特徴とする。
【０００７】
請求項３に記載の発明は、請求項２に記載の画像形成装置において、前記ロック手段は、前記ジャムアクセスカバーに設けられ前記装置本体に係合する爪部材と、前記爪部材と前記装置本体との係合を解除する解除レバーと、で構成されていることを特徴とする。
【０００８】
請求項４に記載の発明は、請求項１乃至３のいずれか１項に記載の画像形成装置において、前記手差しトレイは、所定の位置で前記ジャムアクセスカバーと係合し、前記手差しトレイに所定の圧力を負荷することにより前記手差しトレイと前記ジャムアクセスカバーとの係合が解除されることを特徴とする。
【発明の効果】
【０００９】
請求項１に記載の発明によれば、ジャムアクセスカバーは装置本体に対して回動可能となるように装置本体に取り付けられ、手差しトレイはジャムアクセスカバーに対して回動可能となるようにジャムアクセスカバーに取り付けられているため、手差しトレイの取付部位としてジャムアクセスカバーを有効利用することができる。これにより、比較的小型の画像形成装置に対しても、ジャムアクセスカバーと手差しトレイとを別個独立に効率良く設けることができる。加えて、画像形成装置の装置本体も小型化することができる。
【００１０】
請求項２に記載の発明によれば、ジャムアクセスカバーには装置本体に対する回動を防止するロック手段が設けられているため、手差しトレイのみを回動させて開くように操作する際に、ジャムアクセスカバーも同時に回動して開いてしまうことを防止できる。このように、手差しトレイのみを開ける場合には、ジャムアクセスカバーが共回りしないため、作業効率を向上させることができる。
【００１１】
請求項３に記載の発明によれば、ロック手段は、ジャムアクセスカバーに設けられ装置本体に係合する爪部材と、爪部材と装置本体との係合を解除する解除レバーと、で構成されているため、ジャムアクセスカバーを開ける場合には、解除レバーにより爪部材と装置本体との係合を解除させることにより、ジャムアクセスカバーを容易に開けることができる。なお、ジャムアクセスカバーを閉めた状態では、爪部材と装置本体とが係合しているため、ジャムアクセスカバーが不意に回動して開いてしまうことがない。
【００１２】
請求項４に記載の発明によれば、手差しトレイは所定の位置でジャムアクセスカバーと係合し、この手差しトレイに所定の圧力を負荷することにより手差しトレイとジャムアクセスカバーとの係合が解除される。これにより、手差しトレイを使用する場合には、手差しトレイに所定の圧力を負荷することにより手差しトレイのみを回動させて開くことができる。なお、このとき、ジャムアクセスカバーは、ロック手段によりロックされているため、回動して開いてしまうことはない。
【発明を実施するための最良の形態】
【００１３】
次に、本発明の一実施形態に係る画像形成装置について、図面を参照して説明する。
【００１４】
図１乃至図６に示すように、画像形成装置１０は、用紙に画像を形成する画像形成部（図示省略）を収納した装置本体１２を備えている。この装置本体１２の上部には、原稿自動送り装置１４が取り付けられている。また、装置本体１２の一方側の側面には、ジャムアクセスカバー１６の下端部（支点側端部）が取り付けられている。このジャムアクセスカバー１６は、その下端部を回動支点として、装置本体１２に対して回動可能に取り付けられている。詳細には、ジャムアクセスカバー１６は装置本体１２の内部に形成された用紙搬送路と連通するジャムアクセス開口部１８（図６参照）を閉塞するように装置本体１２に取り付けられており、ジャムアクセスカバー１６が装置本体１２に対して回動して開くことによりジャムアクセス開口部１８が外部に開放するようになっている。
【００１５】
ここで、図６に示すように、ジャムアクセスカバー１６の内側面には、爪部材２０が取り付けられている。この爪部材２０は略Ｌ字状に形成されており、その一部には回転軸２２が取り付けられている。この回転軸２２の端部は、ジャムアクセスカバー１６の内側面に回転可能に取り付けられている。このように、爪部材２０は回転軸２２の軸回りに回転軸２２と共に回転するように構成されている。また、この爪部材２０の一部が装置本体１２と係合するようになっている。
【００１６】
また、ジャムアクセスカバー１６には、回転軸２２を回転させる解除レバー２４が取り付けられている。この解除レバー２４はジャムアクセスカバー１６の外部にも露出しており、ジャムアクセスカバー１６が装置本体１２のジャムアクセス開口部１８を閉塞しているような状態（図１及び図４に示す状態）においても、ユーザ又は作業者が解除レバー２４を操作することができるようになっている。具体的には、解除レバー２４は回転軸２２と機械的に接続されており、解除レバー２４を押圧して解除レバー２４を下方向に押し下げると、回転軸２２が回転して爪部材２０と装置本体１２の係合が解除される。また、解除レバー２４への押圧を解除すると、解除レバー２４に設けられているねじりばね（図示省略）の弾性力により解除レバー２４が元の位置に戻り、これに伴い回転軸２２が逆方向に回転して爪部材２０と装置本体１２とが係合する。
【００１７】
また、ジャムアクセスカバー１６の上端部（揺動側端部（下端部に対して高さ方向に沿って反対側に位置する端部））近傍には、手差しトレイ２６が取り付けられている。この手差しトレイ２６の両側面には凸部（図示省略）が形成されており、この凸部がジャムアクセスカバー１６の上端部近傍に回転可能に嵌合されている。このため、手差しトレイ２６は、ジャムアクセスカバー１６に対して回動可能となっている。
【００１８】
また、手差しトレイ２６にはスナップフィット部（図示省略）が設けられており、手差しトレイ２６の露出側（もしくは外側）の面がジャムアクセスカバー１６の露出側（もしくは外側）の面と略同一平面上に位置した状態（図１又は図３に示す状態）でスナップフィット部により手差しトレイ２６がジャムアクセスカバー１６と係合することになる。この状態で、手差しトレイ２６が開くように手差しトレイ２６に所定の圧力を負荷すると、手差しトレイ２６とジャムアクセスカバー１６との係合が容易に解除される。なお、このとき、ジャムアクセスカバー１６は爪部材２０が装置本体１２と係合しているため、ジャムアクセスカバー１６が手差しトレイ２６と共に回動することはない。
【００１９】
また、図２（図５では図示省略）に示すように、手差しトレイ２６の先端部には、用紙ガイド部材２８が展開自在に取り付けられるようになっている。このため、手差しトレイ２６の使用時には、手差しトレイ２６の先端部に用紙ガイド部材２８を展開することにより、用紙の姿勢を安定させた状態で用紙の支持することができる。なお、手差しトレイ２６の不使用時には、用紙ガイド部材２８を折り畳んで手差しトレイ２６の給紙面上に収納することにより、用紙ガイド部材２８が邪魔になることがない。
【００２０】
また、図５に示すように、手差しトレイ２６の内側面であって手差しトレイ２６の両側面に形成された各凸部の略中間に位置する部位には、給紙パッド３０が取り付けられている。すなわち、手差しトレイ２６をジャムアクセスカバー１６に対して回動させて手差しトレイ２６を開けた状態では、装置本体１２の手差しトレイ下端部近傍の部位に給紙開口部３２（図６参照）が形成されている。そして、その給紙開口部３２近傍の部位には回転駆動する給紙ローラ３４が配置されており、手差しトレイ２６を開けた状態で、給紙パッド３０が給紙ローラ３４と対向する位置にくるように設定されている。このため、手差しトレイ２６を開けると、給紙パッド３０が給紙ローラ３４と対向する位置にきて、手差しトレイ２６上に載置された用紙が給紙ローラ３４と給紙パッド３０とに挟まれて給紙開口部３２から装置本体１２の内部に順次供給される。
【００２１】
次に、本実施形態の画像形成装置１０の作用について説明する。
【００２２】
図１及び図４に示すように、手差しトレイ２６及びジャムアクセスカバー１６が不使用の状態（手差しトレイ２６及びジャムアクセスカバー１６が閉じられた状態）においては、ジャムアクセスカバー１６は、装置本体１２に形成されたジャムアクセス開口部１８（図６参照）を閉塞するように装置本体１２の側面側に位置した状態となっている。また、手差しトレイ２６は、ジャムアクセスカバー１６に対して傾斜することなく、装置本体１２側に位置した状態となっている。このとき、手差しトレイ２６から用紙ガイド部材２８が取り外されているため、手差しトレイ２６及びジャムアクセスカバー１６が不使用の状態においては、手差しトレイ２６及びジャムアクセスカバー１６をコンパクトに収納することができる。
【００２３】
ここで、ジャムアクセスカバー１６を閉めた状態では、ジャムアクセスカバー１６の爪部材２０（図６参照）と装置本体１２とが係合しているため、ジャムアクセスカバー１６が不意に回動して開いてしまうことがない。また、手差しトレイ２６はジャムアクセスカバー１６とスナップフィット部により係合しているため、手差しトレイ２６のみが回動して開いてしまうことがない。
【００２４】
次に、図２及び図５に示すように、手差しトレイ２６を使用する場合には、手差しトレイ２６に所定の押圧力を作用させ、手差しトレイ２６とジャムアクセスカバー１６との係合を解除させるとともに、手差しトレイ２６をジャムアクセスカバー１６に対して回動させて傾斜させる。このとき、ジャムアクセスカバー１６の爪部材２０（図６参照）が装置本体１２と係合しているため、手差しトレイ２６を介してジャムアクセスカバー１６に押圧力が伝達されても、ジャムアクセスカバー１６自体は回動しない。これにより、手差しトレイ２６のみを開けることができる。このように、手差しトレイ２６のみを開ける場合には、ジャムアクセスカバー１６が共回りしないため、作業効率を向上させることができる。なお、手差しトレイ２６は、ジャムアクセスカバー１６に対する所定の傾斜角度の位置で停止する。
【００２５】
また、手差しトレイ２６を開けると、給紙パッド３０が給紙ローラ３４と対向する位置にくるようになる。これにより、手差しトレイ２６上に載置された用紙は、給紙ローラ３４と給紙パッド３０とに挟まれて給紙開口部３２から装置本体１２の内部に順次供給される。
【００２６】
次に、手差しトレイ２６及びジャムアクセスカバー１６が閉じられた状態（図１及び図４参照）で、装置本体１２の内部で紙詰まりが生じた場合には、ジャムアクセスカバー１６を開ける必要がある。このとき、図３及び図６に示すように、ジャムアクセスカバー１６の解除レバー２４を下方向に押し下げて、爪部材２０を回転軸２２と共に回転させる。これにより、爪部材２０と装置本体１２との係合が解除される。爪部材２０と装置本体１２との係合が解除されると、ジャムアクセスカバー１６に所定の押圧力を作用させて、ジャムアクセスカバー１６を回動させて開けることにより、ジャムアクセス開口部１８が開放する。このとき、ジャムアクセスカバー１６に所定の押圧力を作用させた場合でも、手差しトレイ２６はスナップフィット部によりジャムアクセスカバー１６と係合しているため、手差しトレイ２６は、ジャムアクセスカバー１６に対して回動することなく、ジャムアクセスカバー１６と共に装置本体１２に対して傾斜していくことになる。このため、ジャムアクセスカバー１６の回動操作性を向上させることができる。このように、ジャムアクセス開口部１８を開放させると、ジャムアクセス開口部１８から装置本体１２の内部に手を挿入できるため、紙詰まりの原因を容易に取り除くことができる。
【００２７】
以上のように、本実施形態の画像形成装置１０によれば、ジャムアクセスカバー１６は装置本体１２に対して回動可能となるように装置本体１２に取り付けられており、手差しトレイ２６はジャムアクセスカバー１６に対して回動可能となるようにジャムアクセスカバー１６の上端部近傍に取り付けられているため、手差しトレイ２６の取付部位としてジャムアクセスカバー１６を有効利用することができる。これにより、比較的小型の画像形成装置１０に対しても、ジャムアクセスカバー１６と手差しトレイ２６とを別個独立に効率良く設けることができる。加えて、画像形成装置１０の装置本体１２も小型化することができる。
【図面の簡単な説明】
【００２８】
【図１】本発明の一実施形態に係る画像形成装置を構成する手差しトレイ及びジャムアクセスカバーが閉じられている態様の画像形成装置の正面図である。
【図２】本発明の一実施形態に係る画像形成装置を構成する手差しトレイのみが開けられている態様の画像形成装置の正面図である。
【図３】本発明の一実施形態に係る画像形成装置を構成するジャムアクセスカバーが開けられている態様の画像形成装置の正面図である。
【図４】図１の部分的な斜視図である。
【図５】図２の部分的な斜視図である。
【図６】図３の部分的な斜視図である。
【符号の説明】
【００２９】
１０      画像形成装置
１２      装置本体
１６      ジャムアクセスカバー
２０      爪部材（ロック手段）
２４      解除レバー（ロック手段）
２６      手差しトレイ
【図１】
2007284172.tif 000003
【図２】
2007284172.tif 000004
【図３】
2007284172.tif 000005
【図４】
2007284172.tif 000006
【図５】
2007284172.tif 000007
【図６】
2007284172.tif 000008